(57)【要約】【課題】  プリント基板上に半田付けするタイプの端子台及びスペーサ、特に、他部品を固定するためネジによる締め付けを行うものについて、その半田付け面積を増加させ、プリント基板に対しより強固に半田付けできるようにした新規な端子台及びスペーサを提供すること。【解決手段】  柱状体１０と、柱状体の端面１０ａから突出して形成されプリント基板のスルーホールに挿入するための取付片２０とを有する端子台１であって、取付片２０の先端から柱状体の端面１０ａのわずかに深さ方向へ入り込んだ位置まで割り溝３が連通して形成され、さらに取付片の外周面２０ａから連続して柱状体の端面１０ａの深さ方向へ切り込み４が形成されてなる端子台である。【選択図】  図１
2006324149.tif 000002
【特許請求の範囲】
【請求項１】
端子類を固定するための固定部を有する柱状体と、前記柱状体の端面から突出して形成されプリント基板のスルーホールに挿入するための取付片とを有する端子台であって、前記取付片の先端から取付片の突出する柱状体の端面のわずかに深さ方向へ入り込んだ位置まで割り溝が連通して形成され、さらに前記取付片の外周面から連続して前記柱状体の端面の深さ方向へ切り込みが形成されてなる端子台。
【請求項２】
請求項１記載の端子台において、切り込みは、取付片の外周面に沿って周回状に形成されることを特徴とする端子台。
【請求項３】
請求項１又は２記載の端子台において、取付片の径が、プリント基板のスルーホールに挿入したときに前記スルーホールの内壁と取付片の外周面との距離が０．１〜０．７ｍｍになるように設定されることを特徴とする端子台。
【請求項４】
請求項１〜３のいずれか記載の構成からなるスペーサ。
【発明の詳細な説明】
【技術分野】
【０００１】
本発明は、ラグ端子等の部品が固定され、プリント基板のスルーホールに挿入し半田付けによって取り付けられる端子台の技術分野に属する。また、同じくプリント基板に取り付けられ、プリント基板を積層する際などに用いられるスペーサの技術分野に属する。
【背景技術】
【０００２】
従来、ラグ端子等の部品が固定される端子台や、プリント基板を積層する際などに用いられるスペーサが知られている。これらの端子台及びスペーサは一般に、プリント基板に設けられたスルーホールに取付片を挿入し、その部分を半田付けにより固定して取り付けるものである。
【０００３】
従来の端子台及びスペーサとして、例えば（特許文献１）には、柱状本体に設けられた貫通孔にＬＥＤのリードを挿入し、このリードをプリント基板のスルーホールを通って基板の下側に突出させ、その突出した部分を半田付けする構成のＬＥＤ取付用スペーサが記載されている。
また、（特許文献２）には、端子台の回路基板に対する装着面に設けられた複数の位置決め用リブと、回路基板に形成され、端子台の位置決め用リブが挿入された状態で半田が充填されるスルーホールとを備えたことを特徴とする端子台固定装置が開示されている。この（特許文献２）に係る端子台では、プリント基板のスルーホールの内壁でも半田付けが行われるので、端子台が傾いたりせず、より確実に基板に固定することが可能とされている。
【０００４】
しかし、上記従来の端子台及びスペーサは、半田付けにより固定する部位が、せいぜい取付片（リード、リブ）とプリント基板の裏面との間のみであるか、ないしはスルーホールの内壁と取付片の外周との間に限られるため、端子台・スペーサの固定力は未だ不十分であった。すなわち、一般的に端子台・スペーサにはネジにより他部品を固定することが多いが、その際の締め付け力の制御が難しいため、締め付けによる半田付け破壊が発生する恐れがあった。
【０００５】
【特許文献１】特開平６−１８８５３５号公報（請求項１、０００８、図６）
【特許文献２】特開２００１−１４４４６５号公報（請求項１）
【発明の開示】
【発明が解決しようとする課題】
【０００６】
そこで本発明は、上記従来の状況に鑑み、プリント基板上に半田付けするタイプの端子台及びスペーサ、特に、他部品を固定するためネジによる締め付けを行うものについて、その半田付け面積を増加させ、プリント基板に対しより強固に半田付けできるようにした新規な端子台及びスペーサを提供することを目的とする。
【課題を解決するための手段】
【０００７】
上記課題を解決するため、本発明は、請求項１として、端子類を固定するための固定部を有する柱状体と、前記柱状体の端面から突出して形成されプリント基板のスルーホールに挿入するための取付片とを有する端子台であって、前記取付片の先端から取付片の突出する柱状体の端面のわずかに深さ方向へ入り込んだ位置まで割り溝が連通して形成され、さらに前記取付片の外周面から連続して前記柱状体の端面の深さ方向へ切り込みが形成されてなる端子台を提供するものである。
【０００８】
上記構成によれば、端子台をプリント基板に取り付ける際に、半田が割り溝を上昇しプリント基板表側に配置される柱状体の外側へ流れ出ることによって柱状体の外周が半田付けされるとともに、スルーホール内壁と取付片との隙間を上昇した半田が切り込みへ流入して、プリント基板表側における取付片の外周が半田付けされる。
【０００９】
また、請求項２は、請求項１記載の端子台において、切り込みは、取付片の外周面に沿って周回状に形成されることを特徴とする。
【００１０】
上記構成によれば、取付片の外周に沿って半田が流入し、より確実な半田付けが行われる。
【００１１】
また、請求項３は、請求項１又は２記載の端子台において、取付片の径が、プリント基板のスルーホールに挿入したときに前記スルーホールの内壁と取付片の外周面との距離が０．１〜０．７ｍｍになるように設定されることを特徴とする。
【００１２】
上記構成によれば、半田がスルーホール内壁に沿って円滑に流入するように、取付片の径の範囲が特定される。
【００１３】
さらに、請求項４では、請求項１〜３のいずれか記載の構成からなるスペーサを提供するものである。
【００１４】
上記構成によれば、プリント基板に強固に取り付けられるスペーサが提供される。なお、ここでスペーサとは、プリント基板を積層させる際などに、基板間に介在させる部品をいう。
【発明の効果】
【００１５】
以上のように、本発明に係る端子台及びスペーサは、取付片の先端から柱状体の端面近傍まで形成した割り溝と、取付片の外周面に沿って柱状体の端面に形成した切り込みとによって、スルーホールに取り付ける際に半田が素早くプリント基板の表側へ流入し、結果として半田付け面積が増加し、端子台・スペーサをプリント基板に対して強固に半田付けすることが可能となる。したがって、ラグ端子等の他部品を固定するためネジによる締め付けを行う場合に、締め付けによる半田付け破壊等の不具合を生ずることなく、確実に取り付けることができる。
【発明を実施するための最良の形態】
【００１６】
以下、本発明に係る端子台を図１〜図４に基づき説明する。ここで、図１は端子台の一実施形態を示す斜視図、図２はその端子台をプリント基板に取り付ける際の半田の流入状態を説明する断面図、図３は端子台をプリント基板に取り付けた状態を示す断面図、図４は端子台の使用状態を示す側面図である。なお、図１〜図４の例では、ラグ端子等を固定して使用するための端子台について説明するが、ラグ端子等に代えてプリント基板等を固定すればスペーサとして用いることができ、したがって、以下の説明はスペーサの場合にも同様に適用することができる。
【００１７】
図１に示すように、この実施の形態に係る端子台１は、柱状体１０と、この柱状体１０の端面１０ａから突出して形成される取付片２０とから概略構成されている。そして、取付片２０の先端から柱状体の端面１０ａのわずかに深さ方向へ入り込んだ位置まで割り溝３が連通して形成され、さらに取付片の外周面２０ａから連続して柱状体の端面１０ａの深さ方向へ切り込み４が形成されている。
【００１８】
端子台１は、黄銅、銅、ステンレス等の導電性の材料から構成され、柱状体１０と取付片２０とが一体に形成されている。柱状体１０は、図１に示すような円柱状の他、角柱状など様々な形状にすることができ、また図２に示すように、端子類を固定するためのネジ穴等の固定部１０ｂが形成されている。
【００１９】
次に、端子台１をプリント基板Ｐに取り付ける際の半田付けの状態について説明する。図２に示すように、端子台１を取り付ける際には、まず、取付片２０をプリント基板ＰのスルーホールＰ１に挿入し、続いて、プリント基板Ｐの裏側から半田を充填する。充填された半田は、図２に示すように、取付片２０及び柱状体の端面１０ａに設けられた割り溝３に沿って上昇し（図２のＡ方向）、それとは別に、取付片の外周とスルーホールＰ１の内壁（回路部Ｐ２が存在する場合はその表面）との隙間にも流入することとなる（図２のＢ方向）。
【００２０】
割り溝３に沿って流入した半田は、柱状体の端面１０ａの外縁部の割り溝３から外部へ流れ出て、柱状体１０の外周を取り囲む。その状態で半田付けが完了し、柱状体１０の外周とプリント基板Ｐとが固定される。
【００２１】
また、スルーホールＰ１の内壁に沿って隙間に流入した半田は、柱状体の端面１０ａに形成された鋭角の切り込み４にまで達し、その状態で半田付けが行われる。それによって、プリント基板Ｐの表面と取付片２０の外周とが固定されることになる。結果として、図３に示すように、この実施の形態に係る端子台１を用いた場合には、柱状体１０の外周と、プリント基板Ｐの表面における取付片２０外周と、スルーホールＰ１の内壁と、プリント基板Ｐの裏面における取付片２０外周という多数面での半田付けが可能となり、半田付け強度を大幅に高めることができる。したがって、ラグ端子等の他部品を固定するためネジによる締め付けを行う場合であっても、締め付けによる半田付け破壊等を起こすことなく、高い強度を確保することができる。
【００２２】
なお、割り溝の深さは、あまり深過ぎると半田の流れが逆に悪くなり半田付けが不十分となる可能性があるため、柱状体の端面１０ａにおいて１ｍｍ未満程度の深さに形成することが好ましい。また、切り込み４についても、割り溝３と同程度の深さが適当であり、かつ取付片の外周面２０ａに沿って周回状に（取付片２０を囲むように一周）形成することが好ましい。
【００２３】
また、取付片２０の径は、スルーホールＰ１の内壁に沿って半田が円滑に流入できるように適宜設定される。具体的には、スルーホールＰ１の内壁と取付片の外周面２０ａとの距離が０．１〜０．７ｍｍ程度になるように設定することが好ましい。
【００２４】
以上のような端子台１は、図４に示すように、固定部１０ｂにネジ止めする等してラグ端子等の端子類Ｔを固定することができる。端子類Ｔとしては、ラグ端子の他にも、ＬＥＤ等の各種素子の端子部分など、種々の端子を固定することができる。
【図面の簡単な説明】
【００２５】
【図１】本発明に係る端子台の一実施形態を示す斜視図である。
【図２】本発明に係る端子台をプリント基板に取り付ける際の半田の流入状態を説明する断面図である。
【図３】本発明に係る端子台をプリント基板に取り付けた状態を示す断面図である。
【図４】本発明に係る端子台の使用状態を示す側面図である。
【符号の説明】
【００２６】
１      端子台
２０    取付片
２０ａ  外周面
１０    柱状体
１０ａ  端面
１０ｂ  固定部
３      割り溝
４      切り込み
Ｈ      半田
Ｐ      プリント基板
Ｐ１    スルーホール
Ｐ２    回路部
Ｔ      端子類
【図１】
2006324149.tif 000003
【図２】
2006324149.tif 000004
【図３】
2006324149.tif 000005
【図４】
2006324149.tif 000006